(57)【要約】【課題】本発明は、コンセントに関する。【解決手段】コンセントに連結された多数の電気器機の動作状態を判断して電源が供給または自動遮断されるように制御し、設定されるモードによって電源遮断設定が可変されるようにすることによって、電気器機の未使用時には、電源を完全に遮断してエネルギーの浪費と電気安全事故を防止し、特にホームネットワークシステムでは電気器機を使用する時にのみ電源を供給するようにすることによってさらに効率的な電気使用が可能であって、通信待機のための不要な電気の消耗を大幅節減することができ、それによる付加費用も節減される。特に、用途によって位置の変更が不可能な埋め込み型コンセントの場合にも、電気器機の種類または使用者の必要によってモードを設定して電源が自動遮断される時間または方法を変更することができるので、使用者の便宜性が大きく向上するという効果がある。【選択図】図１
2011515797.tif 000002
【特許請求の範囲】
【請求項１】
連結された電気器機に対し、負荷電流によって電源を供給するかまたは遮断する節電回路部；
前記節電回路部が、自動モード、受動モード及びオプション自動モードのうちいずれか１つのモードで動作するように設定するモード設定部；
備えられたジャック連結部に取り付けられ、前記節電回路部に、遮断された電源が供給されるか、または供給される電源が遮断されるように動作信号を入力する信号入力部；及び
押圧型またはレバー型に操作され、電源が強制的に供給、遮断されるようにする切替スイッチ部を含み、
前記節電回路部は、入力された電源が前記電気器機に供給されるかまたは遮断されるようにスイッチングし、前記信号入力部が、前記ジャック連結部から脱着されると、電源を常時遮断するスイッチ部；
前記電気器機の動作状態による負荷電流を感知して負荷信号を入力する負荷電流感知部；及び
前記モード設定部により設定されたモード、前記負荷信号、及び前記信号入力部の動作信号のうち少なくとも１つに対応して前記スイッチ部の動作を制御する制御部を含むコンセント。
【請求項２】
前記制御部は、前記モード設定部が自動モードに設定された場合、使用しようとするリモコンの赤外線またはその他の無線信号を学習して登録されるように制御し、既に設定された待機電力負荷値と前記負荷信号を比較して、前記電気器機に供給される電源が供給され続けるかまたは所定時間待機後に自動遮断されるようにする請求項１に記載のコンセント。
【請求項３】
前記制御部は、前記モード設定部が受動モードに設定された場合、前記負荷信号に関わらず、前記信号入力部の動作信号の入力に対応して、前記電気器機に供給される電源を遮断するか、または遮断された電源が供給されるようにする請求項１に記載のコンセント。
【請求項４】
前記制御部は、前記モード設定部がオプション自動モードに設定された場合、前記電気器機の電源がオフになった状態で、使用しようとするリモコンの赤外線またはその他の無線信号を学習して登録されるように制御し、前記負荷電流感知部を通じて前記電気器機の待機電力を測定して格納する請求項１に記載のコンセント。
【請求項５】
前記制御部は、前記測定された待機電力量と前記ディレイ時間を新しい基準値に設定して前記電気器機の動作状態を判断し、前記電気器機への電源供給を制御する請求項４に記載のコンセント。
【請求項６】
前記制御部は、前記信号入力部から前記登録された赤外線またはその他の無線信号が入力される場合、動作信号として認識して前記スイッチ部が動作するように制御し、前記登録された信号と異なる信号が入力される場合は無視する請求項２または４に記載のコンセント。
【請求項７】
前記信号入力部は、前記ジャック連結部に着脱が可能であるように形成された連結プラグ；
少なくとも１つのボタンを含む入力部；
リモコンから送り出される赤外線またはその他の無線信号を受信する信号受信部；及び
前記入力部が操作されるか、または前記信号受信部を通じて赤外線またはその他の無線信号が受信される場合、前記入力部の操作による動作信号と前記受信された信号が、前記連結プラグを通じて前記ジャック連結部に伝達されるようにし、前記制御部に動作信号が印加されるようにする信号出力部を含む請求項１に記載のコンセント。
【請求項８】
前記信号入力部は、前記入力部が所定時間移動押圧操作されると、特定のリモコンの赤外線またはその他の無線信号の登録が可能であるように所定の信号を前記制御部に印加し、
前記制御部は、前記信号によって前記赤外線またはその他の無線信号が登録されるように制御する請求項７に記載のコンセント。
【請求項９】
前記信号入力部は、前記ジャック連結部に取付け可能であるように形成された連結プラグ；
少なくとも１つのボタンを含んで時間を入力する時間入力部；
前記時間入力部により入力される時間が表示される時間出力部；及び
前記時間入力部の操作回数または操作方法に対応してタイマーを設定し、タイマーの設定時間に到達時に前記制御部に伝達されるように、前記連結プラグを通じて前記ジャック連結部に動作信号を印加するタイマー制御部を含む請求項１に記載のコンセント。
【請求項１０】
前記タイマー制御部は、前記時間入力部が１回操作時、所定の時間単位でタイマーの設定時間を増加させ、設定可能な最大の時間に到達時、初期からタイマーの設定時間を再度設定する請求項９に記載のコンセント。
【請求項１１】
前記タイマー制御部は、前記設定可能な最大の時間を複数の時間範囲に区分し、
第１時間の範囲においては、前記時間入力部の１回の操作に対応して、第１時間単位でタイマーの設定時間が増加するようにし、
第２時間の範囲においては、前記時間入力部の１回の操作に対応して、第２時間単位でタイマーの設定時間が増加するようにする請求項１０に記載のコンセント。
【請求項１２】
前記タイマー制御部は、第３時間の範囲と第４時間の範囲をさらに設定し、
前記第３時間の範囲においては、前記時間入力部の１回の操作に対応して、第３時間単位でタイマーの設定時間が増加するようにし、
第４時間以上の範囲においては、前記時間入力部の１回の操作に対応して、第４時間単位でタイマーの設定時間が増加するようにする請求項１１に記載のコンセント。
【請求項１３】
前記タイマー制御部は、前記時間入力部が所定時間以上押圧操作される場合、または、前記設定ボタンが所定の時間単位で連続的に操作される場合、前記設定時間を初期化するかまたは前記信号入力部が終了するようにする請求項９に記載のコンセント。
【請求項１４】
前記タイマー制御部は、タイマーの正常終了後に再起動時に、最後に設定されたタイマーの設定時間を初期値に設定し、前記時間入力部を追加に操作時に、タイマーの設定時間が追加に変更されるようにする請求項９に記載のコンセント。
【請求項１５】
前記信号入力部は、タイマーの設定時間が繰り返しカウントされるように設定する繰り返しモード設定部をさらに含み、
前記タイマー制御部は、前記繰り返しモード設定部により繰り返しモードが設定された場合、前記タイマーの設定時間を周期として時間をカウントし、前記タイマーの設定時間に到達時に繰り返して前記コンセントに動作信号を印加する請求項９に記載のコンセント。
【請求項１６】
前記スイッチ部に直接連結され、操作状態に対応して前記スイッチ部を強制的に操作し、前記制御部の制御命令に関わらず前記スイッチ部がオン状態になるようにして前記電気器機に電源が供給されるようにする電源スイッチ部をさらに含む請求項１に記載のコンセント。
【請求項１７】
連結された電気器機に供給される電源を遮断する節電回路部を内蔵するアダプタ型コンセント本体；
前記本体のいずれか一側に連結可能な第１コネクタと、前記第１コネクタとは異なる規格の第２コネクタとを含み、前記本体に外部電源を供給する第１連結部；及び
前記本体に着脱可能な連結プラグを含み、前記本体に電源供給または電源遮断に関する動作信号を入力する信号入力部を含むコンセント。
【請求項１８】
前記第１コネクタと同一の規格に対応する形態の第３コネクタと、前記第２コネクタと同一の規格に対応する形態の第４コネクタとを含み、前記第３コネクタを通じて前記本体に連結され、前記第４コネクタに連結される電気器機に電源を供給する第２連結部をさらに含む請求項１７に記載のコンセント。
【請求項１９】
連結された電気器機に供給される電源を遮断する節電回路部を内蔵する埋め込み型コンセント本体；
前記本体の背面に形成され、前記節電回路部に電源が供給されるように、前記節電回路部に外部電源を連結する第１電源連結部；
前記節電回路部と外部電源を連結する第２電源連結部；及び
第１状態において、前記第１電源連結部及び前記第２電源連結部に挿入される電源線が離脱しないように固定し、第２状態において、前記第１電源連結部と前記第２電源連結部に挿入された前記電源線が離脱するように、前記第１電源連結部と前記第２電源連結部を開放する電源線分離固定部を含むコンセント。
【発明の詳細な説明】
【技術分野】
【０００１】
本発明は、コンセントに関し、特に連結された電気器機の負荷電流に対応して連結された電気器機に供給される電源を自動遮断するか、またはモードの設定によって電源の制御方法が可変されるようにするコンセントに関する。
【背景技術】
【０００２】
一般的に、家庭で使用するテレビ、コンピュータ、電子レンジ、オーディオ等のような電気器機は、使用頻度が高いため、常にプラグがコンセントに差し込まれている状態で使用するようになるが、このような電気器機は、長期間使用しない場合にも、プラグがコンセントに差し込まれている状態で放置される場合が多い。
【０００３】
前記のような電気器機は、使用されない場合にも一定容量の待機電力を消耗するので、それによる不要な電力の消耗が発生する。このような待機電力の消耗を防止するためには、プラグを抜いて電源が前記電気器機に供給されることを遮断しなければならないが、電気器機のプラグを使用時毎に差し込んだり抜いたりすることは非常に煩わしい作業を要するようになる。
【０００４】
それにより、前記電気器機のプラグが連結されるコンセントから前記電気器機に電源を供給／遮断できるようにするスイッチ付きコンセントが多く使用されている流れである。
【０００５】
しかしながら、前記コンセントは、前記スイッチを操作するのにおいて、使用者が前記コンセントに毎度位置を移動しなければならないという不便があり、また前記コンセントに１つ以上の電気器機が連結されている場合は、外観上または安全上の理由で前記コンセントがよく見えない所に位置することが一般的であるため、前記スイッチを操作するのにおいて大きな不便がある。
【０００６】
前記のような問題点を改善しようとして出たマルチ型自動節電型コンセントもまた、使用または適用できる製品の用途が限定されており、壁面に埋め込まれて設置されるか、または使用者の必要によって多様な種類の電気器機に選択的に対応して便利に節電を行うのには限界があった。
【０００７】
また、今後ホームネットワークシステムの常用化による電気器機の通信待機電力による電気の浪費が家庭消費電力の２０％以上を占めるものと予測されており、これに対する解決策が切実に要求されている時点である。
【発明の開示】
【発明が解決しようとする課題】
【０００８】
本発明の目的は、電気器機に供給される電源の負荷電流を感知し、電気器機の動作状態を判断して電気器機に電源が自動で供給または遮断されるようにし、１つのコンセントで、電気器機の種類や組み合わせに関わらず、使用者の必要によってモードを設定して電気器機への電源の供給及び遮断の方法を自由に選択できるようにして、家庭消費電力の１０％以上を占めている待機電力の浪費を完全に遮断し、電気安全事故の防止と電気器機の寿命の延長等のような使用者の便宜性を向上させ、ホームネットワークシステムのエネルギー節約の標準化と常用化を先行するコンセントを提供することにある。
【課題を解決するための手段】
【０００９】
本発明によるコンセントは、連結された電気器機に対し、負荷電流によって電源を供給するかまたは遮断する節電回路部、前記節電回路部が、自動モード、受動モード及びオプション自動モードのうちいずれか１つのモードで動作するように設定するモード設定部、備えられたジャック連結部に取り付けられ、前記節電回路部に、遮断された電源が供給されるか、または供給される電源が遮断されるように動作信号を入力する信号入力部、及び押圧型またはレバー型に操作され、電源が強制的に供給、遮断されるようにする切替スイッチ部を含み、前記節電回路部は、入力された電源が前記電気器機に供給されるかまたは遮断されるようにスイッチングし、前記信号入力部が、前記ジャック連結部から脱着されると、電源を常時遮断するスイッチ部、前記電気器機の動作状態による負荷電流を感知して負荷信号を入力する負荷電流感知部、及び前記モード設定部により設定されたモード、前記負荷信号、及び前記信号入力部の動作信号のうち少なくとも１つに対応して前記スイッチ部の動作を制御する制御部を含む。
【００１０】
また、本発明によるコンセントは、連結された電気器機に供給される電源を遮断する節電回路部を内蔵するアダプタ型コンセント本体、前記本体のいずれか一側に連結可能な第１コネクタと、前記第１コネクタとは異なる規格の第２コネクタとを含み、前記本体に外部電源を供給する第１連結部、及び前記本体に着脱可能な電源連結プラグを含み、前記本体に電源供給または電源遮断に関する動作信号を入力する信号入力部を含む。
【００１１】
また、本発明のコンセントは、連結された電気器機に供給される電源を遮断する節電回路部を内蔵する埋め込み型コンセント本体、前記本体の背面に形成され、前記節電回路部に電源が供給されるように、前記節電回路部に外部電源を連結する第１電源連結部、前記節電回路部と外部電源を連結する第２電源連結部、及び第１状態において、前記第１電源連結部及び前記第２電源連結部に挿入される電源線が離脱しないように固定し、第２状態において、前記第１電源連結部と前記第２電源連結部に挿入された前記電源線が離脱するように、前記第１電源連結部と前記第２電源連結部を開放する電源線分離固定部を含む。
【発明の効果】
【００１２】
前記のように構成される本発明によるコンセントは、電気器機または他のコンセントに連結された電気器機の負荷電流を感知して、または任意の時間が経過した後に供給される電源が自動で遮断または供給されるようにして待機電力や不要に浪費される電力の消耗を防止してエネルギー節約に大きな効果があり、電気器機を使用しない時は電源が供給されないようにすることによって、電気安全事故を予防し、電気器機を保護して、それによる費用の節減と付加効果がある。また、コンセントは、アダプタ型の場合、本体を共用化することができ、コンセントの電圧と規格が異なる国家別に異なる製品を製造しなければならない必要がないため、それによる設計の変更及び製造費用の問題を解決することができる。
【００１３】
また、コンセントは、モードの設定によって電気器機に対する電源を遮断するかまたは供給する方法を異ならせて、自動電源遮断機能と共に受動で操作するかまたはタイマースイッチで変更して使用することができるようにして、使用者の必要または電気器機の種類によって選択して用途別に使用することができ、信号入力部の脱着または回路異常の発生時にも切替スイッチ部を利用した常時電源への切換えが容易であるため、使用者の便宜性が大きく向上するという効果がある。
【００１４】
また、ホームネットワークシステムに本技術を適用すれば、通信機器が消えていても５〜１０Ｗ程度ずつ常時消耗される通信待機電力による不要な電気の浪費を源泉的に防止することができるという効果がある。
【図面の簡単な説明】
【００１５】
【図１】本発明によるコンセントの第１実施例が示された斜視図、
【図２】図１のコンセント本体が示された斜視図、
【図３】本発明によるコンセントの第２実施例が示された斜視図、
【図４】図３のコンセントの構造が示された分解斜視図、
【図５】図３のコンセントの正面、側面、背面が示された図、
【図６】図１及び図３のコンセントのモード設定部が示された図、
【図７】図１及び図３のコンセントに連結される第１信号入力部が示された斜視図、
【図８】図１及び図３のコンセントに連結される第２信号入力部が示された斜視図、
【図９】図１及び図３のコンセントの構成が示されたブロック図、
【図１０】図７の第１信号入力部の構成が示されたブロック図、
【図１１】図８の第２信号入力部の構成が示されたブロック図、
【図１２】図１及び図３のコンセントの使用例が示された例示図、
【図１３】図１及び図３のコンセントのモードの設定方法が示された順序図、
【図１４】図１及び図３のコンセントの自動モードの設定による動作方法が示された順序図、
【図１５】図１及び図３のコンセントのオプション自動モードの設定による動作方法が示された順序図、
【図１６】図１及び図３のコンセントの受動／タイマーモードの設定による動作方法が示された順序図、
【図１７】図１及び図３のコンセントに連結される第２信号入力部の動作方法が示された順序図、
【図１８】図１及び図３のコンセントに備えられる切替スイッチ部（４６０）の構成が示された斜視図、
【図１９】図１及び図３のコンセントに備えられるスイッチ部の詳細な構成が示された斜視図である。
【発明を実施するための形態】
【００１６】
以下、添付の図面を参照して本発明の実施例を説明すると、次のとおりである。
図１は、本発明によるコンセントの第１実施例が示された斜視図である。
本発明によるコンセントの第１実施例は、次のとおりである。コンセントの第１実施例は、アダプタ型であって、他のコンセントまたは連結ケーブルを通じて電源が入力されるか、または電気器機に連結されて電源を供給または遮断できるように構成される。
【００１７】
このようなコンセントは、連結された電気器機または他のコンセントに電源を供給するかまたは遮断するコンセント本体（１０）と、コンセント本体（１０）に電源の供給または遮断に関する所定の信号を入力する第１信号入力部（４０）と第２信号入力部（５０）とを含む。このとき、第１及び第２信号入力部（４０、５０）は、イヤジャック型の連結プラグを含んでコンセント本体（１０）に連結される。
【００１８】
また、コンセント本体（１０）に電源が入力されるように、電源と連結する連結ケーブル（２０）、コンセント本体（１０）から出力される電源を電気器機に供給するためのコンセントケーブル（３０）をさらに含む。このとき、連結ケーブル（２０）のプラグ（２１）及び他のコンセントケーブル（３０）のコンセント連結部（３１）は、その形状及び形態が異なるものが使用され得、これは、図面に限定されるものではない。
【００１９】
ここで、各国毎に使用されるコンセント及びプラグの形態が異なるため、コンセント本体（１０）は共用で使用し、コンセント本体（１０）に連結される連結ケーブル（２０）及びコンセントケーブル（３０）は、各国によって変更して使用することができる。但し、連結ケーブル（２０）及びコンセントケーブル（３０）は、コンセント本体（１０）に連結されるコネクタ（２２、３２）に対しては、コンセント本体（１０）に適した形態を有し、電気器機のコネクタが、コンセント本体（１０）に適した形態を有する場合、コンセントケーブル（３０）なしに直接連結可能である。
【００２０】
従って、各国別にコンセント本体を異なるように作成する必要なしにコンセント本体（１０）は共用で使用し、連結ケーブル（２０）とコンセントケーブル（３０）のみを変更して使用することができるので、国家別に設計の変更及び製作費用による浪費を防止し、製品の共用化が容易である。
【００２１】
図２は、図１のコンセント本体が示された斜視図である。図２（ａ）は、左側図であり、図１（ｂ）は、右側図である。
【００２２】
コンセント本体（１０）は、図２（ａ）及び図２（ｂ）に示されたように、入力された電源を電気器機または他のコンセントに供給する電源出力部（１５）と、電源が入力される電源入力部（１２）と、電源入力部（１２）を通じて入力された電源が、電源出力部（１５）を通じて出力されるのにおいて、電源出力部（１５）に連結された電気器機または他のコンセントの動作状態によって電源が供給または遮断されるように制御する節電回路部が内蔵され、内蔵された節電回路部を保護するコンセントケース（１）とを含む。ここで、電源出力部（１５）は、コンセントケーブル（３０）に連結され、電源入力部（１２）は、連結ケーブル（２０）に連結される。このとき、電源出力部（１５）と電源入力部（１２）の形状及び形態は、ＩＥＣ  ３２０  Ｃ１３またはＩＥＣ  ３２０  Ｃ１３の規格に従うが、これは、場合によって変更され得る。
【００２３】
また、コンセント本体（１０）は、第１挿入部（１１）の上、下、左、右のうちいずれか一側にモード設定部（１３）、ジャック連結部（１４）が備えられる。
【００２４】
モード設定部（１３）は、複数のモードを含み、節電回路部により自動で電源を遮断するかまたは電源を供給する場合、選択されたモードによって電源の遮断または供給による待機時間、設定値、タイマーまたは受動遮断等の設定が変更されるようにモードを設定する。
【００２５】
ジャック連結部（１４）は、コンセント本体に備えられ、第１信号入力部（４０）または第２信号入力部（５０）が取付けまたは脱着可能に構成される。このようなジャック連結部（１４）は、第１信号入力部（４０）または第２信号入力部（５０）から信号を入力され、節電回路部に信号を印加する。
【００２６】
また、ジャック連結部（１４）は、第１信号入力部（４０）または第２信号入力部（５０）の取付状態を感知し、脱着時に節電回路部に感知した信号を印加することによって、コンセント本体（１０）が常時電源遮断用に切り替えられるようにする。
【００２７】
図３は、本発明によるコンセントの第２実施例が示された斜視図である。
本発明によるコンセントの第２実施例は、図３に示されたように、コンセントの一部分が壁面に埋め込まれる埋め込み型コンセント（１００ａ、１００ｂ）である。
【００２８】
第２実施例によるコンセント（１００ａ、１００ｂ）は、少なくとも１つの電気器機または他のコンセントが連結されることができるように電源プラグ挿入部（１１０ａ、１１０ｂ）が少なくとも１つが前面に備えられ、電源プラグ挿入部（１１０ａ、１１０ｂ）の背面に節電回路部が内蔵され、電源プラグ挿入部（１１０ａ、１１０ｂ）に連結された電気器機または他のコンセントへの電源を供給または遮断するようになる。コンセント（１００ａ、１００ｂ）は、電源プラグ挿入部（１１０ａ、１１０ｂ）が節電回路部と連結されるように設けられ、電源プラグ挿入部が複数である場合、複数の電源プラグ挿入部がそれぞれ節電回路部に連結される。
【００２９】
このとき、節電回路部は、前述した第１実施例においてコンセント本体（１０）に内蔵される節電回路部と同一のものが使用される。但し、コンセント本体（１０）の電源出力部（１５）及び電源入力部（１２）と、電源プラグ挿入部（１１０ａ、１１０ｂ）の位置及び形態が異なるため、それにより節電回路部との結線の形態は一部異なる可能性があるが、基本的な回路構成及び機能は同一である。
【００３０】
ここで、図３（ａ）は、３口の電源プラグ挿入部（１１０ａ）が備えられた例であり、図３（ｂ）は、１つの電源プラグ挿入部（１１０ａ）が備えられた例が示された図である。
【００３１】
また、コンセント（１００ａ、１００ｂ）は、前面に信号入力部（２００）が挿入されて取付け可能な構造のジャック連結部（１４０ａ、１４０ｂ）が備えられる。このとき、ジャック連結部（１４０ａ、１４０ｂ）は、図３（ａ）及び図３（ｂ）に示されたように、電源プラグ挿入部（１１０ａ、１１０ｂ）の上、下、左、右のうち少なくともいずれか一側に備えられ得る。
【００３２】
ジャック連結部（１４０ａ、１４０ｂ）は、信号入力部（２００）が連結された場合、信号入力部（２００）から電源の供給または遮断に関する所定の動作信号を入力され、信号入力部（２００）が挿入取り付けられて連結されるかまたは脱着された場合、その取付状態を感知して節電回路部に印加する。ここで、ジャック連結部（１４０ａ、１４０ｂ）に信号入力部（２００）が連結されずに脱着された場合、コンセント（１００ａ、１００ｂ）は、節電回路部が常時電源遮断用に切り替えられる。
【００３３】
ここで、信号入力部（２００）は、前述した第１実施例に記載の第１信号入力部（４０）と第２信号入力部（５０）がいずれも適用されることができる。即ち、コンセント（１００ａ、１００ｂ）は、ジャック連結部（１４０ａ、１４０ｂ）に第１信号入力部（４０）または第２信号入力部（５０）が連結されることができる。
【００３４】
また、コンセント（１００ａ、１００ｂ）は、前面に節電回路部の動作状態を表示するか、または連結された電気器機または他のコンセントに供給される電源の遮断状態に対応して点灯される状態出力部（図示しない）がさらに備えられ得る。
【００３５】
このとき、図３（ａ）のように電源プラグ挿入部（１１０ａ）が複数に備えられれば、場合によって節電回路部と連結されていない常時電源用プラグ挿入部が別途に備えられ得る。このとき、常時電源用プラグ挿入部は、節電回路部に連結されるプラグ挿入部と区別することができるように色相、柄及び形状のうち少なくても１つ異なるように形成されることが好ましい。
【００３６】
図４は、図３のコンセント構造が示された分解斜視図である。
コンセント（１００ａ）は、前面部（１０１ａ）、前面部（１０１ａ）が嵌合取り付けられるコンセントアセンブリ（１０２ａ）、及び節電回路部が内蔵される本体部（１０３ａ）から構成される。このとき、コンセントアセンブリ（１０２ａ）及び本体部（１０３ａ）は、１つ以上に分離可能な構造を有する。
【００３７】
前面部（１０１ａ）は、電源プラグ挿入部（１１０ａ）にプラグが挿入取付け可能であるようにプラグ挿入部の形態で、電源プラグ挿入部の数に対応して形成された電源プラグ孔（１１１ａ）を含む。また、前面部（１０１ａ）は、ジャック連結部（１４０ａ）に信号入力部（２００）が挿入取付け可能であるようにその位置に対応して、電源プラグ孔（１１１ａ）のいずれか一側に形成される挿入孔（１４１ａ）を含む。
【００３８】
このとき、挿入孔（１４１ａ）は、イヤジャック型の連結プラグが挿入可能であるように円形に形成されたことを例として挙げるが、信号入力部（２００）の連結ジャックの形態によってその形態が変更され得る。
【００３９】
コンセントアセンブリ（１０２ａ）は、電源プラグ孔（１１１ａ）を通過したプラグが挿入取付け可能な構造に形成される電源プラグ取付部（１１２ａ）を少なくとも１つ含み、挿入孔（１４１ａ）を通過した信号入力部（２００）の連結プラグが挿入取り付けられるジャック取付部（１４２ａ）を含む。
【００４０】
また、コンセントアセンブリ（１０２ａ）は、ジャック取付部（１４２ａ）の上、下、左、右のうちいずれか一側にモード設定部（１３０）を含む。このとき、モード設定部（１３０）は、第１実施例に記載のモード設定部（１３）と同一の構成と機能を有する。
【００４１】
モード設定部（１３０）は、前面部（１０１ａ）がコンセントアセンブリ（１０２ａ）に取り付けられた状態では外部に露出されず、前面部（１０１ａ）が脱着されてコンセントアセンブリ（１０２ａ）が露出されると、その前面に露出され、使用者により操作可能な状態となる。
【００４２】
本体部（１０３ａ）は、コンセントアセンブリ（１０２ａ）の背面に位置し、内部に節電回路部が実装された基板を含む。本体部（１０３ａ）は、コンセントアセンブリ（１０２ａ）と嵌合または締結結合される。
【００４３】
このとき、挿入孔（１４１ａ）、ジャック取付部（１４２ａ）、ジャック連結部（１４、１４０ａ）は、同一の位置に形成され、信号入力部（２００）の連結が可能に構成され、ジャック連結部（１４、１４０ａ）は、本体部（１０３ａ）内部の基板に連結される。
【００４４】
また、前記コンセントアセンブリは、電源プラグ取付部（１１２ａ）の上、下、左、右のうち少なくともいずれか一側に備えられ、コンセント（１００ａ）が常時電源用または節電用に切り替えられるように受動操作可能な切替スイッチ部（図示しない）をさらに含むことができる。切替スイッチ部は、本体部（１０３ａ）に連結され、操作状態によって電源を電源出力端に印加する。
【００４５】
ここで、切替スイッチ部は、ジャック連結部（１４、１４０ａ）に信号入力部（２００）が取付、脱着される状態によって、コンセントが常時電源遮断用または節電用に設定されることと共に、電源供給の状態を強制的に切り替えることができるように受動で操作されるプッシュボタンとレバーをさらに含むことができる。
【００４６】
このとき、信号入力部（２００）が取り付けられて切替スイッチ部が節電用に設定されると、コンセント（１００ａ）は、入力された電源が、節電回路部を通じて電源プラグ挿入部（１１０ａ）に連結された電気器機または他のコンセントに供給されるようにし、信号入力部（２００）が脱着されると、節電回路部内部のスイッチ部に印加される動作信号が遮断され、コンセントは、常時電源遮断用に切り替えられる。それにより、信号入力部（２００）が脱着されると、外部や連結された電気器機への電源供給が遮断される。
【００４７】
図５は、図３のコンセントの正面、側面、背面が示された図である。図５
（ａ）は、コンセント、より正確にはコンセントアセンブリの正面図であり、図５（ｂ）は、コンセントアセンブリと本体部が結合された側面図であり、図５（ｃ）は、コンセントアセンブリと本体部の背面図である。
【００４８】
図５（ａ）を参照すると、コンセント（１００ｂ）は、図４において前述したように、コンセントアセンブリ（１０２ｂ）の正面に電源プラグ取付部（１１２ｂ）、ジャック取付部（１４２ｂ）、モード設定部（１３０）を含む。電源プラグ取付部（１１２ｂ）は、プラグの電極が挿入される電極挿入部（１１３ｂ）と、プラグに接地を提供する接地部（１１４ｂ）とを含む。
【００４９】
また、コンセントアセンブリ（１０２ｂ）は、コンセントアセンブリ（１０２ｂ）が壁面に固定されるようにねじを締結するためのねじ孔が少なくとも１つ形成され、前面部が嵌合固定される固定部が少なくとも１つ形成される。
【００５０】
図５（ｂ）を参照すると、コンセントアセンブリ（１０２ｂ）の背面に本体部（１０３ｂ）が結合される。このとき、コンセントアセンブリ（１０２ｂ）の電源プラグ取付部（１１２ｂ）、ジャック取付部（１４２ｂ）、モード設定部（１３０）は、本体部（１０３ｂ）の内部に備えられた基板に連結される。
【００５１】
図５（ｃ）を参照すると、コンセント（１００ｂ）は、コンセントアセンブリの背面に締結結合される背面ケース（１１８）を含み、背面ケース（１１８）は、本体部（１０３ｂ）内部の基板及び基板に実装される節電回路部を保護する四角形の蓋体構造に形成され、節電回路部が外部に露出されないようにする。
【００５２】
背面ケース（１１８）は、節電回路部に外部電源を入力する第１電源連結部（１１５）、外部に節電回路部の電源を連結する第２電源連結部（１１６）、挿入された電源線が固定されるか、または挿入された電源線を除去できるようにする電源線分離固定部（１１７）を含む。
【００５３】
電源線分離固定部（１１７）は、一般的な状態で電源連結部（１１５、１１６）が閉じ状態となるようにして、電源連結部（１１５、１１６）に挿入された電源線を固定し、電源線が連結されていない状態において、電源連結部（１１５、１１６）を通じて外部から異物が挿入されないようにする。
【００５４】
また、電源線分離固定部（１１７）は、２つの電源線分離固定部（１１７）が向き合う方向に操作されると、電源連結部（１１５、１１６）が開放されるようにして、電源連結部（１１５、１１６）に電源線を挿入するか、または挿入された電源線を除去できるようにする。
【００５５】
図６は、図１及び図３のコンセントのモード設定部が示された図である。
図６のように、コンセントに備えられるモード設定部（１３、１３０）は、多段階のモード設定が可能な所定の入力手段から構成され、コンセントに連結された電気器機または他のコンセントへの電源が遮断されるかまたは供給されるようにするのにおいて、そのモードを設定する。
【００５６】
ここで、モード設定部（１３、１３０）は、３段階にモード設定が可能なスライドスイッチが使用されることを例として挙げて説明するが、少なくとも３段階の設定が可能なロータリースイッチ、複数のボタン、ディープスイッチも使用され得る。
【００５７】
モード設定部（１３、１３０）は、スイッチバー（１３２）の位置によってモードを設定し、設定されたモードの情報を節電回路部に印加する。このとき、モード設定部（１３、１３０）は、オプション自動モード、自動モード、受動／タイマーモードの３種のモード設定が可能である。
【００５８】
モード設定部（１３、１３０）は、スイッチバー（１３２）が第１地点（１３５）に位置すると、オプション自動モードの設定による信号を節電回路部に印加し、コンセントは、オプション自動モードに設定される。モード設定部（１３、１３０）は、スイッチバー（１３２）が第２地点（１３４）に位置すると、自動モードの設定による信号を節電回路部に印加し、コンセントは、自動モードに設定される。モード設定部（１３、１３０）は、スイッチバー（１３２）が第３地点（１３３）に位置すると、受動／タイマーモードの設定による信号を節電回路部に印加する。
【００５９】
モード設定部（１３、１３０）によりいずれか１つのモードが設定されると、コンセントは、設定されたモードによって、電源が遮断されるまでの待機時間、信号入力部から入力される信号の種類または信号が入力される方法、入力される制御命令の種類等が異なるように設定されて動作される。
【００６０】
前記のようなコンセントは、前述したように、コンセント本体（１０、１００ａ、１００ｂ）に着脱可能であり、リード線により連結され、コンセントに連結された電気器機または他のコンセントへの電源供給または電源遮断に関する所定の制御信号を入力する信号入力部（２００）を含む。
【００６１】
信号入力部（２００）は、無線信号と受動操作による制御信号を受信して動作信号を入力する第１信号入力部（４０）と、受動操作による制御信号またはタイマーによる動作信号を入力する第２信号入力部（５０）とを含む。
【００６２】
図７は、図１及び図３のコンセントに連結される第１信号入力部が示された斜視図である。
【００６３】
図７を参照すると、第１信号入力部（４０）は、ジャック連結部（１４、１４０、４２０）に挿入取付け可能な連結プラグ（４３）、信号受信部（４１）と入力部（４２）を含む本体（４５）、及び本体（４５）と連結プラグ（４３）を連結するリード線（４６）を含む。
【００６４】
連結プラグ（４３）は、ジャック連結部（１４、１４０、４２０）に着脱可能に構成された、イヤプラグ型の連結プラグ（４３）を含む。連結プラグ（４３）は、複数の連結端子（４４）で構成され、連結プラグ（４３）が、ジャック連結部（１４、１４０、４２０）に挿入取付られれば、各連結端子（４４）がジャック連結部（１４、１４０、４２０）に含まれた信号端子と接続して動作信号を伝達する。
【００６５】
入力部（４２）は、押圧操作によって動作信号を印加するボタンを少なくとも１つ含む。
【００６６】
信号受信部（４１）は、赤外線信号またはその他の無線信号を受信する無線信号モジュールを含んで、テレビ、ラジオ、エアコン、ビデオ等のような電気器機のリモコンの信号やその他の無線信号を受信する。
【００６７】
このような第１信号入力部（４０）は、信号受信部（４１）を通じて無線信号が受信される場合、受信された無線信号を連結プラグ（４３）を通じてコンセントに印加し、入力部（４２）のボタンが操作される場合、所定の動作信号を連結プラグ（４３）を通じてコンセントの節電回路部に印加する。
【００６８】
図８は、図１及び図３のコンセントに連結される第２信号入力部（５０）が示された斜視図である。
【００６９】
図８を参照すると、第２信号入力部（５０）は、ジャック連結部（１４、１４０、４２０）に挿入取付け可能な連結プラグ（５６）、時間入力部（５１）、時間出力部（５２）、時間出力部（５２）をカバーする透明または半透明材質の第１ケース（５３）、時間出力部（５２）と時間入力部（５１）を含み、内部に制御回路を含むケースである本体（５５）、及び本体（５５）と連結プラグ（５６）を連結するリード線（５８）を含む。
【００７０】
連結プラグ（５６）は、前述した第１信号入力部（４０）と同一の形態で構成され、複数の連結端子（５７）を含む。連結プラグ（５６）は、ジャック連結部（１４、１４０、４２０）に挿入取り付けられ、所定の制御信号を節電回路部に印加する。
【００７１】
時間入力部（５１）は、押圧操作される少なくとも１つのボタンを含み、ボタンの操作回数に対応してタイマーの設定時間を入力する。このとき、時間入力部（５１）は、ボタンが１回操作されるか、または所定時間以上押圧操作されるロングキー入力によって異なる信号を入力する。
【００７２】
時間出力部（５２）は、時間入力部（５１）により入力されるタイマー時間を表示する。時間出力部（５２）は、時間入力部（５１）の操作に対応して増加または減少した時間を表示する。時間出力部（５２）は、４桁の数字を出力することができるＬＣＤ窓が備えられることを例として挙げるが、これに限定されるものではない。
【００７３】
このとき、時間出力部（５２）は、４桁の数字のうち前の２桁は時間、後の２桁は分を表示するようになる。例えば、０３：３０は、３時間３０分を意味するようになる。
このような第２信号入力部（５０）は、時間入力部（５１）によるタイマーの設定時間が経過すると、内部の制御回路で生成される動作信号を連結プラグ（５６）を通じてコンセントの節電回路部に伝達する。  
【００７４】
図９は、図１及び図３のコンセントの構成が示されたブロック図である。
コンセントは、図９に示されたように、電源入力端（４４０）、電源出力端（４５０）、信号入力部（２００）、モード設定部（１３、１３０、３８０）、ジャック連結部（４２０）、節電回路部（４７０）を含む。また、コンセントは受動で操作が可能な切替スイッチ部（４６０）をさらに含む。
【００７５】
電源入力端（４４０）は、第１実施例の電源入力部（１２）、第２実施例の電源連結部（１１５）と連結され、コンセントに電源を供給する。電源出力端（４５０）は、第１実施例の電源出力部（１５）、第２実施例の電源プラグ挿入部（１１０ａ、１１０ｂ）及び電源連結部（１１６）と連結され、電源入力端（４４０）の電源が、節電回路部（４７０）を通じて、連結された電気器機または他のコンセントに供給されるようにする。
【００７６】
モード設定部（１３、１３０、３８０）は、前述したように、オプション自動モード、自動モード、受動／タイマーモードのうちいずれか１つが選択されると、節電回路部（４７０）に選択されたモード情報を伝達する。
【００７７】
信号入力部（２００）は、ジャック連結部（４２０）に着脱可能であり、電源供給または電源遮断に関する所定の制御信号を節電回路部（４７０）に入力する。信号入力部（２００）は、リード線により連結され、赤外線またはその他の無線信号を受信する無線信号モジュール、押圧操作されることによって信号を印加するボタンを含む第１信号入力部（４０）、及びタイマーの設定が可能な第２信号入力部（５０）を含む。
【００７８】
このとき、信号入力部（２００）がジャック連結部（４２０）に取り付けられると、コンセントは、節電用コンセントとして動作し、節電回路部により電気器機または他のコンセントによる待機電力を遮断するようになる。
【００７９】
一方、信号入力部（２００）がジャック連結部（４２０）から脱着されると、コンセントは、常時電源遮断用に切り替えられる。簡単にジャック連結部（４２０）から信号入力部（２００）を脱着することによって、外部や連結された電気器機への電源供給が安全に遮断されるようにする。
【００８０】
このとき、ジャック連結部（４２０）から信号入力部（２００）が脱着されると、スイッチ部（３３０）と駆動回路部（３２０）または制御部（３１０）との間の連結が遮断され、スイッチ部（３３０）はオフ状態になるため、コンセントは、自動電源遮断用に切り替えられ、連結された電気器機または他のコンセントへの電源供給が遮断される。また、信号入力部（２００）が脱着されると、制御部（３１０）に供給される電源が遮断され、制御部（３１０）が電源の遮断または供給による制御が不可能になる。
【００８１】
切替スイッチ部（４６０）は、ジャック連結部（４２０）に信号入力部（２００）が脱着されて電源が遮断された状態で、使用者の操作により電源供給が可能になるようにして、回路異常による節電回路部の故障時に、コンセントが常時電源用に切り替えられるようにする。
【００８２】
このとき、切替スイッチ部（４６０）は、使用者により操作される場合、制御部（３１０）の制御信号に関わらず、節電回路部内に含まれるスイッチ部（３３０）を強制的にオン（ｏｎ）にすることによって、連結された電気器機または他のコンセントに電源が供給されるようにする。このとき、切替スイッチ部（４６０）の操作により電源が操作される場合は、制御部（３１０）の制御に関わらず供給されるものであるため、コンセントが常時電源用として動作する。
【００８３】
このような切替スイッチ部（４６０）は、信号入力部（２００）が脱着された状態で電源供給が遮断されるので、節電回路部に異常が発生するか、または信号入力部（２００）の紛失等によりコンセントの使用が不可能な場合、コンセントを常時電源用に切り替えるのに使用され得る。
【００８４】
節電回路部（４７０）は、電源入力端（４４０）から電源出力端（４５０）に流れる電源に対して負荷電流を感知することによって、連結された電気器機または他のコンセントの動作状態を判断し、それによって電気器機または他のコンセントへの電源供給を遮断するか、又は遮断された電源を供給するようになる。
【００８５】
このような節電回路部（４７０）は、スイッチ部（３３０）、電源部（３５０）、駆動回路部（３２０）、負荷電流感知部（４１０）、状態出力部（３６０）、学習設定部（３７０）、データ部（３９０）、節電回路部の動作の全般及びコンセントの動作を制御する制御部（３１０）を含む。
【００８６】
また、節電回路部（４７０）は、バックアップデータ部（４００）をさらに含む。
スイッチ部（３３０）は、電源入力端（４４０）と電源出力端（４５０）に連結され、前記電気器機または他のコンセントに電源が供給または遮断されるようにスイッチングする。このとき、スイッチ部（３３０）は、前記駆動回路部（３２０）により供給される電源によりオン／オフスイッチングされるリレーが用いられ、リレー以外にもトランジスタのようなスイッチング動作可能な素子が用いられ得る。
【００８７】
駆動回路部（３２０）は、制御部（３１０）の制御命令に対応して、スイッチ部（３３０）に電源を印加してスイッチ部（３３０）がオン／オフ（ＯＮ／ＯＦＦ）になるようにするスイッチング動作を制御する。ここで、駆動回路部（３２０）は、多数のダイオードと、トランジスタと、抵抗と、キャパシタとを含んで構成される。
【００８８】
電源部（３５０）は、電源入力端（４４０）から入力される電源を変換して制御部（３１０）に駆動電源を供給する。電源部（３５０）は、電源入力端（４４０）から印加される交流電源を直流電源に変換し、変換された直流電源を安定化させる。このとき、電源部（３５０）は、直流電源を制御部（３１０）または駆動回路部（３２０）に印加して節電回路部が動作されるようにする。
【００８９】
データ部（３９０）は、制御部（３１０）が負荷電流感知部（４１０）から入力される負荷信号によってスイッチ部（３３０）がスイッチングされるように制御することによって、電源が自動で遮断されるように判断する基準値である負荷感知値が格納され、電源が遮断されるまでのディレイ時間、信号入力部（２００）から入力される動作信号の認識のためのデータ、学習設定部（３７０）により学習されたデータが格納される。バックアップデータ部（４００）は、データ部（３９０）に格納されたデータ、即ち負荷感知値、ディレイ時間データ、動作信号認識データ、学習データをバックアップ格納する。
【００９０】
学習設定部（３７０）は、モード設定部（３８０）がオプション自動モードに設定された場合、負荷電流感知部（４１０）を通じて感知される負荷電流によって電源遮断の基準値を新規に設定する。このとき、新規に設定される基準値は、学習データとしてデータ部（３９０）に格納され、オプション自動モードが維持される状態では、制御部（３１０）の判断基準である基準値として用いられる。また、学習設定部（３７０）は、第１信号入力部（４０）から入力される赤外線またはその他の無線信号を登録し、データ部（３９０）に格納する。
【００９１】
状態出力部（３６０）は、節電回路部（４７０）による電源の供給状態、即ち電源が正常的に供給されるか又は遮断された状態であるかによって点灯され、状態情報を出力する。このとき、状態出力部（３６０）は、点灯または点滅されるランプが使用され得る。
【００９２】
負荷電流感知部（４１０）は、スイッチ部（３３０）により供給される電源から負荷電流を感知して制御部（３１０）に負荷信号を入力する。
【００９３】
負荷電流感知部（４１０）は、前記スイッチ部（３３０）がオン（ＯＮ）になることによって前記電気器機または他のコンセントに電源が供給されると、前記供給される電源から負荷電流を感知し、前記電源に含まれる電源ノイズまたは過電圧を除去し、直流変換して、前記制御部（３１０）に前記電気器機または他のコンセントの動作状態を判断するための負荷信号を入力する。
【００９４】
制御部（３１０）は、信号入力部（２００）から入力される動作信号、赤外線信号またはその他の無線信号、或いは負荷電流感知部（４１０）から入力される負荷信号に対応して、スイッチ部（３３０）が動作するように駆動回路部（３２０）を制御する。
【００９５】
制御部（３１０）は、信号入力部（２００）から動作信号が入力されると、前記スイッチ部（３３０）がオン（ＯＮ）になって、前記電気器機または他のコンセントに電源が供給されるように制御命令を生成し、前記駆動回路部（３２０）に印加する。このとき、制御部（３１０）は、モード設定部により設定されたモードに対応して、信号入力部（２００）から入力される動作信号を判断し、それにより電源が供給されるかまたは遮断されるようにする。
【００９６】
また、制御部（３１０）は、前述したように、ジャック連結部（４２０）から信号入力部（２００）の取付状態を感知し、その取付状態によって電源が供給されるかまたは自動遮断されるようにする。制御部（３１０）は、ジャック連結部（４２０）により信号入力部（２００）が取り付けられることが感知されると、直ちにコンセントを電源供給状態に切り替える。
【００９７】
制御部（３１０）は、信号入力部（２００）が取り付けられた状態で、負荷電流感知部（４１０）から入力される負荷信号によって前記電気器機または他のコンセントに連結された多数の電気器機の動作状態を判断し、供給される電源が自動で供給または遮断されるように制御命令を生成し、前記駆動回路部（３２０）に印加する。
【００９８】
制御部（３１０）は、負荷電流感知部（４１０）から入力される負荷信号を設定された負荷感知値と比較して、負荷信号が前記負荷感知値以下である場合、前記電気器機または他のコンセントに連結された多数の電気器機の電源がオフ（ＯＦＦ）になって待機電力状態であるものと判断し、一定時間経過後、供給される電源が自動で遮断されるようにする。
【００９９】
制御部（３１０）は、モード設定部（３８０）により自動モードが設定されると、負荷電流感知部（４１０）により測定される負荷電流に対応する負荷信号を入力され、既に格納された基準値と比較して電源出力端（４５０）に連結された電気器機または他のコンセントの動作状態を判断する。制御部（３１０）は、負荷信号が基準値以下であると、電気器機または他のコンセントが動作が停止された状態、待機電力が消耗される状態であると判断し、スイッチ部（３３０）がオフになるように制御し、電気器機または他のコンセントに供給される電源を自動で遮断する。
【０１００】
ここで、制御部（３１０）は、自動モードである場合、信号入力部（２００）から動作信号が入力されると、スイッチ部（３３０）を制御して電源の遮断を解除し、電気器機または他のコンセントに電源が供給されるようにする。このとき、信号入力部（２００）が第１信号入力部（４０）である場合、赤外線またはその他の無線信号が受信されると、第１信号入力部（４０）から制御部（３１０）に信号が印加され、入力部のボタンが操作された場合、動作信号が制御部（３１０）に印加され、信号入力部（２００）が第２信号入力部（５０）である場合は、備えられる時間入力部が操作された場合、動作信号が制御部（３１０）に印加される。
【０１０１】
ここで、制御部（３１０）は、自動モードが設定された初期に学習設定部（３７０）を制御し、第１信号入力部（４０）の赤外線信号またはその他の無線信号が登録されるようにする。学習設定部（３７０）は、制御部（３１０）の制御命令に対応して、第１信号入力部（４０）の入力部（４２）から入力される信号に対応して、入力された赤外線信号またはその他の無線信号を登録し、データ部（３９０）に格納されるようにする。
【０１０２】
例えば、第１信号入力部（４０）の入力部（４２）のボタンが所定時間以上長く押圧操作されると、制御部（３１０）は、学習制御部（３７０）を制御して赤外線信号またはその他の無線信号の登録が可能になるようにする。また、前記のように信号の登録の可能な状態になると、使用者により使用するリモコンが操作されることによって、第１信号入力部（４０）の信号受信部（４１）が信号を受信してコンセントに印加し、学習設定部（３７０）は、入力された赤外線信号またはその他の無線信号を登録する。
【０１０３】
ここで、制御部（３１０）は、赤外線信号またはその他の無線信号の登録が可能な状態になると、状態出力部（３６０）を制御して赤外線信号またはその他の無線信号の登録が可能な状態であることを使用者が認知するようにし、また学習設定部（３７０）により赤外線信号またはその他の無線信号の登録が完了すると、状態出力部（３６０）を制御して表示されるようにする。場合によって、第１信号入力部（４０）にランプが備えられる場合、制御部（３１０）は、第１信号入力部（４０）に所定の信号を印加して、第１信号入力部（４０）に備えられるランプを通じて信号の登録が可能な状態または登録の完了を知らせるようにすることができる。
【０１０４】
前記のように学習設定部（３７０）により赤外線信号またはその他の無線信号が登録されると、この後、制御部（３１０）は、第１信号入力部（４０）から入力される赤外線またはその他の無線信号を登録された信号と比較して同一の信号である場合、これを動作信号として認識し、それにより遮断された電源が供給されるようにする。制御部（３１０）は、入力された信号が登録された信号と異なる場合は、入力された信号を無視する。
【０１０５】
制御部（３１０）は、モード設定部（３８０）により受動／タイマーモードが設定されると、信号入力部（２００）から入力される動作信号によって、連結された電気器機または他のコンセントに電源が供給されるかまたは遮断されるようにする。
【０１０６】
このとき、制御部（３１０）は、電気器機または他のコンセントに電源が供給される状態において、信号入力部（２００）から動作信号が入力されると、負荷電流感知部（４１０）の負荷信号に関わらず、スイッチ部（３３０）を制御して電源が供給または遮断されるようにする。
【０１０７】
また、制御部（３１０）は、オプション自動モードが設定されると、学習設定部（３７０）を制御して待機電力学習モードを行う。このとき、制御部（３１０）は、学習設定部（３７０）により新たに設定される基準値を利用して負荷電流感知部（４１０）の負荷信号による電気器機またはコンセントの動作状態を判断し、スイッチ部（３３０）を制御する。
【０１０８】
このとき、学習設定部（３７０）は、制御部（３１０）の制御命令によって負荷電流感知部（４１０）により測定された負荷電流値を入力され、それによる待機電力値を基準値として新規に設定してデータ部（３９０）に格納する。
【０１０９】
即ち、学習設定部は、連結された前記電気器機または他のコンセントにより消耗される待機電力が一定時間測定されるように負荷電流感知部（４１０）を制御する。学習設定部は、負荷電流感知部（４１０）を通じて測定された待機電力の大きさに対応して、電源を遮断するための負荷感知値と電源が遮断されるまでのディレイ時間とを自動で設定する。
【０１１０】
このとき、制御部（３１０）は、状態出力部（３６０）のランプが点滅されるように制御し、学習モード状態であることが表示されるようにする。
【０１１１】
ここで、負荷電流感知部（４１０）は、スイッチ部（３３０）と電源出力端（４５０）に連結され、供給される電源から負荷電流を感知し、感知された交流電源に含まれる過電圧または過電流を除去し、出力される交流電源を脈流に変換する変換部、脈流電源を平滑して直流の負荷信号を制御部（３１０）に印加する平滑部（図示しない）、放電部（図示しない）を含むが、それに関する詳細な説明は、下記において省略することとする。
【０１１２】
また、制御部（３１０）は、自動オプションモードが設定されると、前述した自動モードにおけるように同一の方法に従って学習設定部（３７０）を制御して赤外線信号またはその他の無線信号が登録されるようにし、赤外線信号またはその他の無線信号の登録が完了すると、登録された信号に対応して電源の供給遮断を制御する。
【０１１３】
ここで、自動モードにおいて赤外線信号またはその他の無線信号の登録が完了した場合、オプション自動モードに設定を変更する場合、別途の信号登録なしに、既に登録された信号を用いることができる。また、自動オプションモードにおいて登録された赤外線またはその他の無線信号は、自動モードにおいても用いられ得る。このとき、登録された赤外線またはその他の無線信号は、データ部（３９０）に格納される。
【０１１４】
また、コンセントは、ノイズ除去部（図示しない）をさらに含むことができる。
ノイズ除去部（図示しない）は、電源出力端（４５０）から逆に入力されるノイズを吸収、除去する。このとき、ノイズ除去部は、節電回路部のスイッチ部（３３０）と電源出力端（４５０）との間に連結されることができ、電源出力端（４５０）の両極に連結されるダイオードを含む。
【０１１５】
図１０は、図７の第１信号入力部の構成が示されたブロック図である。
図１０と前述した図７を参照すると、第１信号入力部（４０）は、連結プラグ（４３）、信号受信部（４１）、入力部（４２）を含み、また信号受信部（４１）と入力部（３２）の信号を連結プラグ（４３）を通じてコンセント本体（１０、１００ａ、１００ｂ）に出力する信号出力部（４９）を含む。また、第１信号入力部（４０）は、動作の状態を出力するランプ等をさらに含むことができる。
【０１１６】
このような第１信号入力部（４０）は、特定のリモコンの赤外線信号またはその他の無線信号が制御部（３１０）及び学習設定部（３７０）により登録及び格納されるようにリモコン設定過程を行うことができる。このとき、赤外線信号またはその他の無線信号の登録は、コンセントが自動モードまたは自動オプションモードである場合に設定することができる。
【０１１７】
第１信号入力部（４０）により赤外線信号またはその他の無線信号の登録が完了すると、制御部（３１０）は、第１信号入力部（４０）を通じて入力された赤外線信号またはその他の無線信号のうち登録された信号が受信される場合にのみ動作信号として認識し、他のリモコンによる信号は無視する。ここで、複数の赤外線信号またはその他の無線信号が登録されることができ、１つのリモコンにおいてボタンごとに赤外線信号またはその他の無線信号を登録することができる。
【０１１８】
このとき、第１信号入力部（４０）は、入力部（４２）のボタンが所定時間以上押圧操作される場合、それに関する信号を制御部（３１０）に印加し、制御部（３１０）は、赤外線信号またはその他の無線信号設定モードに切り替え、信号受信部（４１）を通じて受信された赤外線信号またはその他の無線信号を入力され、学習設定部（３７０）において赤外線信号またはその他の無線信号を登録するように制御する。
【０１１９】
第１信号入力部（４０）は、コンセントが自動モードまたは自動オプションモードである場合、連結プラグ（４３）がコンセント本体（１０、１００ａ、１００ｂ）に取り付けられた状態で、信号受信部（４１）を通じて赤外線信号またはその他の無線信号が受信されると、赤外線信号またはその他の無線信号を信号出力部（４９）に印加し、連結プラグ（４３）を通じてコンセントのジャック連結部（４２０）に信号を伝達する。
【０１２０】
ジャック連結部（４２０）から赤外線信号またはその他の無線信号を印加された制御部（３１０）は、登録された赤外線信号またはその他の無線信号と入力される信号とを比較して、登録された信号の場合、電源の遮断を解除し、電源が供給されるように動作信号を生成して駆動回路部（３２０）を制御し、それによりスイッチ部（３３０）がオン（ｏｎ）になって、電気器機または他のコンセントに電源が供給される。
【０１２１】
また、第１信号入力部（４０）は、入力部（４２）のボタン操作に対応して、電源の供給に関する動作信号をコンセントに印加する。
【０１２２】
このような第１信号入力部（４０）は、別途の専用リモコンがなくても、多数の電気器機または既に使用中の電気器機のリモコンを利用することができ、学習が設定された特定の周波数の赤外線信号またはその他の無線信号のみを受信することができるように設定可能であるため、特定のリモコンを指定して使用できる。
【０１２３】
一方、第１信号入力部（４０）は、コンセントが受動／タイマーモードに設定された場合、入力部（４２）のボタンが操作される場合、連結プラグ（４３）を通じて信号出力部（４９）から動作信号がコンセントに印加される。このとき、制御部（３１０）は、前述したように、受動／タイマーモードにおいて入力される動作信号に対応して電源が供給されるかまたは遮断されるように制御する。
【０１２４】
例えば、コンセントが受動／タイマーモードに設定された場合、第１信号入力部（４０）の入力部（４２）が１回操作されると、制御部（３１０）は、ジャック連結部（４２０）を通じて動作信号を入力され、供給される電源を遮断するかまたは遮断された電源が供給されるようにする。第１信号入力部（４０）の動作信号の入力時ごとに遮断または供給されるようにする。これは、使用者により電源の供給を受動で遮断または供給する場合に使用され得る。
【０１２５】
但し、コンセントが受動／タイマーモードに設定された場合、第１信号入力部（４０）は、タイマー機能を含まないので、コンセントは、受動操作による電源の遮断供給のみを行う。
【０１２６】
図１１は、図８の第２信号入力部の構成が示されたブロック図である。
図１１と前述した図８を参照すると、第２信号入力部（５０）は、連結プラグ（５６）、時間入力部（５１）、時間出力部（５２）を含み、また信号の入出力を制御し、第２信号入力部の動作の全般を制御するタイマー制御部（６１）、時間設定データが格納される時間データ部（６２）、タイマー制御部（６１）により生成されたタイマー制御信号を連結プラグ（５６）を通じてコンセント本体（１０、１００ａ、１００ｂ）に伝達するタイマー信号出力部（６３）を含む。
【０１２７】
このとき、時間入力部（５１）は、操作回数に対応してタイマーの設定時間を増加して入力するが、設定可能な最大の時間範囲内で増加するようにし、最大の時間範囲に到達すると、操作回数に対応して設定時間が減少するか、または０から再度設定時間が増加するようにする。
【０１２８】
また、時間入力部（５１）は、所定時間以上押圧操作されてロングキーが入力される場合、入力された設定時間を初期化すると同時に第２信号入力部（５０）が動作停止するようにする。また、時間入力部（５１）は、所定回数連続的に操作される場合、設定された時間が繰り返されて周期的に動作信号が伝送されるように設定することができる。
【０１２９】
このとき、第２信号入力部（５０）は、設定された時間が周期的に繰り返されるように設定するための設定スイッチ部（図示しない）をさらに含むことができる。
【０１３０】
時間入力部（５１）は、設定可能な最大の時間範囲内で複数の時間範囲に区分し、各時間の範囲ごとに異なる時間単位で時間が増加して入力されるようにする。
【０１３１】
例えば、時間入力部（５１）は、第１時間の範囲においては１回操作時に１０分ずつ増加し、第２時間の範囲においては２０分ずつ増加し、第３時間の範囲においては３０分ずつ増加し、第４時間の範囲においては１時間ずつ増加するようにしてタイマーの設定時間を入力する。
【０１３２】
即ち、設定可能な最大の時間が約２０時間であると、４０分までは時間入力部（５１）が１回操作される場合は、１０分ずつ増加し、その後から２時間までは２０分ずつ増加し、４時間までは３０分ずつ増加し、最大の時間である２０時間までは１時間ずつ増加することができる。
【０１３３】
タイマー制御部（６１）は、時間入力部（５１）によりタイマーの設定時間が入力されると、時間をカウントし、設定時間に到達時、電源の遮断または電源の供給による制御信号を生成してコンセントに伝送されるようにする。
【０１３４】
前記のように構成される第２信号入力部（５０）は、コンセント本体（１０、１００ａ、１００ｂ）に取り付けられた状態で、時間入力部（５１）の操作により設定されたタイマー時間に対応して動作信号を制御部（３１０）に印加することによって電源が供給または遮断されるようにする。また、タイマーの設定時間が繰り返されるように設定された場合は、設定された時間を周期的にカウントして動作信号を制御部（３１０）に印加する。
【０１３５】
このとき、第２信号入力部（４０）は、コンセントが受動／タイマーモードである場合、前記のように設定された時間によって動作信号を印加し、コンセントが自動モードまたは自動オプションモードである場合は、時間入力部（６１）の操作時に動作信号を印加して遮断された電源が供給されるようにする。即ち、コンセントが自動モードまたは自動オプションモードである場合、第２信号入力部（４０）の時間入力部（６１）は、第１信号入力部（４０）の入力部（４２）のように動作される。
【０１３６】
図１２は、図１及び図３のコンセントの使用例が示された例示図である。
図１２に示されたように、コンセントは、電気器機または他のコンセントと連結され、連結された電気器機または他のコンセントへの電源を供給または遮断する。
【０１３７】
このとき、信号入力部（２００）が連結された電気器機のいずれか一側に付着する場合、電気器機の電源がオフになると、自動で電源供給が遮断され、待機電力が消耗されることを防止し、使用者がリモコンを利用して操作するか、または信号入力部に直接備えられたボタンを操作すると、信号入力部（２００）から動作信号が入力され、電気器機に電源が供給されるようになる。
【０１３８】
それにより、電気器機に電源が正常的に供給され、使用者が電気器機を駆動させる場合、電気器機が正常的に動作される。電気器機が正常的に駆動され、電力が消耗されて負荷電流感知部（４１０）から負荷が感知されると、制御部（３１０）は、赤外線信号またはその他の無線信号やボタンの操作に影響を受けることなく、駆動回路部（３２０）を通じてスイッチ部（３３０）をスイッチングし続ける。
【０１３９】
例えば、第１信号入力部（４０）をテレビの前面のいずれか一部に付着する場合、コンセントが自動モードである場合、テレビの電源がオフになると、所定時間経過後、節電回路部によりテレビに供給される電源が自動遮断される。このとき、リモコンが操作されると、第１信号入力部（４０）は、赤外線信号またはその他の無線信号を受信して動作信号を節電回路部に印加し、電気器機に電源が供給されるようになる。以後、リモコンが１回さらに操作されると、テレビがリモコンの信号を受信してテレビが駆動される。
【０１４０】
ここで、１回リモコンの操作時、テレビは電源が遮断された状態であるため、リモコンの信号を受信することはできないが、２回リモコンの操作時には、
テレビに電源が正常的に供給されるため、待機電力を利用したリモコン信号の受信が可能になる。
【０１４１】
また、電気マットがコンセントに連結され、コンセントが受動／タイマーモードに設定されると、第１信号入力部が連結された場合は、ボタンが１回操作されるか、またはリモコンが操作されると、電気マットに供給された電源が遮断され、電気マットは動作を停止する。また、ボタンが再度１回操作されるかまたはリモコンが操作されると、電気マットに電源が供給され、電気マットは再度動作される。
【０１４２】
第２信号入力部が連結された場合は、タイマーを設定すると、タイマーの設定時間までマットは動作され、設定時間が経過時、電気マットに供給される電源が遮断され、電気マットは動作が停止する。このとき、第２信号入力部が繰り返しモードに設定されると、再度設定時間が経過後に電気マットに電源が供給され、電気マットは再度動作され得る。
【０１４３】
前記のように構成される本発明の動作を説明すると、次のとおりである。
図１３は、図１及び図３のコンセントのモード設定方法が示された順序図である。
図１３に示されたように、コンセントは、ジャック連結部（４２０）に信号入力部（２００）の取付けの有無に対応して節電用または常時電源遮断用として動作する。
【０１４４】
ジャック連結部（４２０）に信号入力部（２００）が取り付けられない場合（Ｓ５２０）、制御部（３１０）または駆動回路部（３２０）と、スイッチ部（３３０）との間の連結が遮断されるため、スイッチ部（３３０）はオフ（ＯＦＦ）になり、連結された電気器機または他のコンセントへの電源が遮断される。それにより、コンセントは、常時電源遮断用として動作する（Ｓ６１０）。このとき、信号入力部（２００）が脱着されると、スイッチ部（３３０）との連結が遮断されるだけでなく、制御部（３１０）に印加される動作電源が遮断され、制御部（３１０）が動作されない。
【０１４５】
このとき、前記のように信号入力部（２２０）が脱着された状態で再度取り付けられた場合、制御部（３１０）に動作電源が入力されると同時にスイッチ部（３３０）との連結が復旧されるので、制御部（３１０）の制御命令によって駆動回路部（３２０）がスイッチ部（３３０）を制御し、それによりスイッチ部（３３０）がスイッチング動作を行えるようになる。
【０１４６】
ジャック連結部（４２０）に信号入力部（２００）が取り付けられた場合（Ｓ５２０）、コンセントは、節電用コンセントとして動作し、電源入力端（４４０）から入力された電源は、節電回路部を通じて電源出力端（４５０）に印加され、連結された電気器機または他のコンセントに電源を供給し、負荷電流によって電気器機または他のコンセントの動作状態を判断し、それにより供給される電源を供給または遮断する（Ｓ５３０）。
【０１４７】
ここで、制御部（３１０）は、モード設定部（３８０）のモードが自動モードである場合（Ｓ５４０）、負荷電流感知部（４１０）から印加される負荷信号を基準値と比較してスイッチ部（３３０）を制御することによって、電気器機または他のコンセントに電源が制御されるようにし、信号入力部（２００）から入力されるリモコンの赤外線信号やその他の無線信号、またはボタン操作による動作信号に対応して電気器機または他のコンセントに電源が供給されるように制御する自動モードを設定する（Ｓ５５０）。
【０１４８】
このとき、制御部（３１０）は、学習設定部（３７０）を制御して信号入力部（２００）から入力される赤外線信号またはその他の無線信号のうち特定のリモコンの赤外線またはその他の無線信号を登録することができ（Ｓ５６０）、登録された赤外線信号またはその他の無線信号が受信された場合、動作信号として認識してスイッチング部（３３０）のスイッチングを制御する。また、制御部（３１０）は、信号入力部（２００）の入力部（４１）の操作による動作信号を入力され、スイッチ部（３３０）を制御する。
【０１４９】
また、制御部（３１０）は、モード設定部（３８０）がオプション自動モードである場合、自動モードのように特定のリモコン値を学習することと共に待機電力の測定及び学習を通じて基準値を再設定し、再設定された基準値を負荷信号と比較して電源の供給を制御するオプション自動モードを設定する（Ｓ５８０）。
【０１５０】
制御部（３１０）は、オプション自動モードの設定時、学習設定部（３７０）を制御して前述した自動モードにおけるようにリモコンの赤外線信号またはその他の無線信号を登録し、負荷電流感知部を通じて負荷電流を感知し、それにより待機電力値を算出して新たな基準値を設定する（Ｓ５９０）。
【０１５１】
ここで、設定されたモードに関わらず登録された赤外線信号またはその他の無線信号は、他のモードにおいても使用され得る。
一方、制御部（３１０）は、モードスイッチ部（３８０）が受動／タイマーモードである場合は、信号入力部（２００）の動作信号に対応してスイッチ部（３３０）を制御することによって、電気器機または他のコンセントへの電源供給または電源遮断を制御する受動／タイマーモードを設定する（Ｓ６００）。
【０１５２】
前記のようにモード設定部（３８０）によりコンセントのモードが設定されるとき、各モードによるコンセントの動作は、次のとおりである。
【０１５３】
図１４は、図１及び図３のコンセントの自動モードの設定による動作方法が示された順序図である。
図１４を参照すると、コンセントが自動モードに設定された場合（Ｓ６２０）、電源入力端（４４０）を通じて入力される電源は、節電回路部（４７０）を通じて電源出力端（４５０）に印加され、連結された電気器機または他のコンセントに供給される。
【０１５４】
このとき、負荷電流感知部（４１０）は、節電回路部に流れる電源に対する負荷電流を測定し、それによる負荷信号を制御部（３１０）に印加する。制御部（３１０）は、入力された負荷信号を既に格納された設定基準値と比較して待機電力の有無を判断する（Ｓ６４０）。
【０１５５】
制御部（３１０）は、負荷信号が設定基準値以下である場合、連結された電気器機または他のコンセントが動作停止され、待機電力を消耗する状態であると判断し、既に設定されたディレイ時間の間に待機した後（Ｓ６５０）、スイッチ部（３３０）がオフになるように制御し、連結された電気器機への電源を遮断する（Ｓ６６０）。このとき、駆動回路部（３２０）は、制御部（３１０）の制御命令に対応してスイッチ部（３３０）がオフになるように駆動を制御する。
【０１５６】
前記のようにスイッチ部（３３０）がオフになると、電源入力端（４４０）から電源出力端（４５０）に印加される電源がスイッチ部（３３０）により遮断されるので、連結された電気器機に電源が供給されないようになる。
【０１５７】
制御部（３１０）は、信号入力部（２００）を通じてボタン操作による動作信号が入力されると（Ｓ６７０）、スイッチ部（３３０）がオンになるように制御し、連結された電気器機に電源が供給されるようにする。
【０１５８】
また、制御部（３１０）は、信号入力部（２００）から赤外線信号またはその他の無線信号が入力されると、入力された赤外線信号またはその他の無線信号を登録された信号と比較して同一の信号である場合、動作信号として認識し、スイッチ部（３３０）がオンになるように制御し、連結された電気器機に電源が供給されるようにする。一方、入力された信号が登録されていない信号である場合は、無視する。
【０１５９】
図１５は、図１及び図３のコンセントのオプション自動モードの設定による動作方法が示された順序図である。
【０１６０】
図１５に示されたように、コンセントにオプション自動モードが設定されると（Ｓ６９０）、制御部（３１０）は、学習設定部（３６０）を制御してリモコンの赤外線信号またはその他の無線信号と待機電力の測定及び学習を行う（Ｓ７００）。このとき、学習設定部（３６０）は、負荷電流感知部（４１０）を制御して所定の時間負荷電流を測定し、それにより現在の待機電力値を新たな基準値を設定し、それによるディレイ時間を自動算出してデータ部（３９０）に格納されるようにする（Ｓ７１０）。
【０１６１】
このとき、待機電力を学習する間に、連結された電気器機は、動作停止及び待機状態に維持されなければならない。このようなオプション自動モードは、電気器機の待機電力量が自動モードに設定された基準値よりも大きいため、電源が自動で遮断されない場合、または電気器機の動作時の電力消耗量が自動モードの基準値よりも小さいため、正常動作中にも電源が遮断される場合に使用され得る。
【０１６２】
ここで、コンセントは、前記のようにリモコンと待機電力量に関する学習が完了すると、前述した図１４の自動モードにおけるように動作する。但し、学習された待機電力量による新たな基準値と、新たなディレイ時間を基準に電源遮断の有無を判断するようになる。また、前述した自動モードにおけるようにリモコンの赤外線信号またはその他の無線信号を登録して使用でき、登録された赤外線信号またはその他の無線信号は、モードに関わらず使用され得る。
【０１６３】
コンセントを通じて電気器機に電源が供給される状態において（Ｓ７３０）、負荷電流感知部（４１０）は、負荷電流を測定し（Ｓ７４０）、それによる負荷信号を制御部（３１０）に入力し、制御部（３１０）は、入力される負荷信号を前記のような学習過程を通じて新たに設定された基準値と比較して電気器機の動作状態を判断する。
【０１６４】
制御部（３１０）は、負荷信号が新たに設定された基準値以下である場合（Ｓ７５０）、制御部（３１０）は、スイッチ部（３３０）がオフになるように制御し、電気器機に供給される電源が遮断されるようにする（Ｓ７６０）。
【０１６５】
電源が遮断された状態において、制御部（３１０）は、信号入力部（２００）を通じて動作信号が入力されると、スイッチ部（３３０）を制御して電気器機に電源が供給されるようにする。
【０１６６】
図１６は、図１及び図３のコンセントの受動／タイマーモードの設定による動作方法が示された順序図である。
【０１６７】
図１６を参照すると、コンセントが受動／タイマーモードである場合（Ｓ７８０）、制御部（３１０）は、ジャック連結部（４２０）に連結された信号入力部（２００）を通じて入力される動作信号に対応して電源を供給するかまたは遮断する。
【０１６８】
このとき、電気器機に電源が供給される状態において信号入力部（２００）から動作信号が入力されると（Ｓ７９０）、制御部（３１０）をスイッチ部（３３０）がオフになるようにして電気器機への電源供給を遮断する（Ｓ８１０）。このとき、設定されたディレイ時間が経過した後に遮断するか、または直ちに遮断する。
【０１６９】
電気器機への電源が遮断された状態において信号入力部（２００）から動作信号が入力されると（Ｓ８２０）、制御部（３１０）は、スイッチ部（３３０）がオンになるようにして電気器機に電源が供給されるようにする（Ｓ８４０）。
【０１７０】
このとき、信号入力部（２００）が第１信号入力部（４０）である場合、入力部（４２）のボタンの操作による動作信号の入力時、または登録された赤外線信号またはその他の無線信号が入力される場合、制御部（３１０）は、動作信号として認識し、スイッチ部（３３０）がスイッチングされるように制御する。
【０１７１】
また、信号入力部（２００）が第２信号入力部（５０）である場合、第２信号入力部（５０）がタイマーの設定時間によって時間をカウントし、時間の経過時に動作信号を制御部（３１０）に印加するので、制御部（３１０）は、スイッチ部（３３０）の動作を制御する。
【０１７２】
図１７は、図１及び図３のコンセントに連結される第２信号入力部の動作方法が示された順序図である。
【０１７３】
図１７を参照すると、第２信号入力部（５０）は、時間入力部（５１）が１回操作されると、タイマー制御部（６１）は、タイマーの設定時間を所定の時間だけ増加させ（Ｓ８６０）、タイマーの設定時間が増加するに従って時間出力部（５２）に表示される時間が変更されて出力されるようにする（Ｓ８６０）。
【０１７４】
タイマー制御部（６１）は、タイマーの設定時間の設定が完了するまでに繰り返す（Ｓ８５０〜Ｓ８８０）。このとき、タイマー制御部（６１）は、所定時間以上時間入力部（５１）が操作されない場合、時間の設定が完了したものと判断する。
【０１７５】
タイマー制御部（６１）は、タイマーの設定時間が完了すると（Ｓ８８０）、タイマーの設定時間をタイマーデータ部（６２）に格納し（Ｓ８９０）、時間をカウントする（Ｓ９００）。
【０１７６】
タイマー制御部（６１）は、設定時間に到達すると（Ｓ９１０）、制御部（３１０）に動作信号を入力する（Ｓ９２０）。
【０１７７】
一方、時間入力部（５１）がロングキー入力される場合（Ｓ９３０）、タイマー制御部（６１）は、タイマーの設定時間を初期化すると同時に第２信号入力部（５０）の動作が停止するようにする（Ｓ９４０）。第２信号入力部（５０）の動作が停止された状態で時間入力部（５１）が操作されると、第２信号入力部（５０）が再度動作され、タイマーの設定時間の入力が可能になる。
【０１７８】
ここで、タイマー制御部（６１）は、再駆動時または次のタイマーの設定時間の設定時に、タイマーデータ部（６２）に格納された最後のデータを呼出して初期値に設定し、時間出力部（５２）に表示されるようにする。
【０１７９】
また、タイマーの設定時間が繰り返されるように設定された場合、第２信号入力部（５０）がタイマーの設定時間を周期的に繰り返してカウントし、それによる動作信号を繰り返して制御部（３１０）に印加する。それにより、コンセントに連結された電気器機または他のコンセントへの電源が周期的に供給遮断を繰り返すようになる。
【０１８０】
図１８は、図１及び図３のコンセントに備えられるスイッチ部の構成が示された斜視図、図１９は、図１及び図３のコンセントに備えられるスイッチ部の詳細な構成が示された斜視図である。
【０１８１】
切替スイッチ部（４６０）は、図１８及び図１９に示されたように、節電回路部のスイッチ部（３３０）に直接連結され、スイッチ部（３３０）を強制的に操作する。このとき、切替スイッチ部（４６０）は、押圧操作されるボタン（４６１）が備えられたことを例とする。
【０１８２】
このとき、スイッチ部（３３０）がリレーで構成される場合、切替スイッチ部のボタン（４６１）が押圧操作されると、スイッチ部（３３０）内部のスイッチング構造が強制的に操作され、連結された電気器機に電源供給が可能になる。
【０１８３】
このような切替スイッチ部（４６０）は、節電回路部の誤動作時、電源が制御されないため電気器機の使用に問題となる場合、コンセントを常時電源用に切り替えるために用いられる。
【０１８４】
ここで、信号入力部（２００）の連結プラグ（４３、５６）がジャック連結部から脱着されると、スイッチ部（３３０）と制御部（３１０）または駆動回路部（３２０）との間の回路の連結が遮断されるので、スイッチ部（３３０）がオフ状態となって、コンセントが電源を遮断して電源遮断用に切り替えられるが、このような状態で切替スイッチ部（４６０）を操作することによって、制御部（３１０）に関かわらず、スイッチ部（３３０）がオン（ｏｎ）になって電源を供給するようになる。このとき、制御部（３１０）とスイッチ部（３３０）との間の連結は遮断された状態であり、制御部（３１０）に動作電源が印加されないため、コンセントは、切替スイッチ部（４６０）の強制操作だけで動作される。
【０１８５】
即ち、コンセントの回路異常や、信号入力部（２００）を脱着した場合、前記のように切替スイッチ部（４６０）を操作してスイッチ部（３３０）が強制的にオン（ｏｎ）になるようにすることによって、コンセントを常時電源用として使用できるようになる。
【０１８６】
切替スイッチ部（４６０）は、コンセントアセンブリ（１０２ａ、１０２ｂ）に形成された、切替スイッチ用挿入孔（１０７）を通じて押圧操作可能なボタン部（４６１）が位置し、このようなボタン部（４６１）は、本体部の内部に位置する基板（Ｂ）に実装されるスイッチ部（３３０）に直接連結される。このとき、切替スイッチ部（４６０）は、押圧操作されるボタン以外にも、レバー等が使用され得る。
【０１８７】
図１９（ｂ）のように、切替スイッチ部（４６０）のボタン（４６１）は、スイッチ部（３３０）に備えられた第１端子（３３４）に連結され、ボタン（４６１）が押圧操作される場合、第１端子（３３４）がボタン（４６１）により強制的に押圧されて第１電極（３３５ａ）を押し出し、第１電極（３３５ａ）と第２電極（３３５ｂ）が互いに接触される。このとき、第１連結端子（３３６）に連結される駆動回路部（３２０）の制御信号は遮断された状態である。
【０１８８】
このとき、第１電極（３３５ａ）は、第２連結端子（３３７ａ）に連結され、第２電極（３３５ｂ）は、第３連結端子（３３７ｂ）に連結され、第２連結端子（３３７ａ）は電源入力端に、第３連結端子（３３７ｂ）は電源出力端に連結される。
【０１８９】
それにより、切替スイッチ部（４６０）の操作時に、スイッチ部の電極が互いに連結され、節電回路部の異常時にも電源入力端の電源が電源出力端を通じて電気器機に供給されるようにする。
【０１９０】
以上のように、本発明によるコンセントを例示された図面を参照して説明したが、本明細書に開示された実施例と図面により本発明は限定されることなく、技術思想が保護される範囲内で応用されることができる。
【符号の説明】
【０１９１】
１０、１００ａ、１００ｂ  コンセント
１２        電源入力部
１５        電源出力部
４０        第１信号入力部
４１        信号受信部
４２        入力部
４３        連結プラグ
４４        連結部
４５        本体
４９        信号出力部
５０        第２信号入力部
５１        時間入力部
５２        時間出力部
５３        第１ケース
５５        本体
５６        連結プラグ
５７        連結端子
６１        タイマー制御部
６２        時間データ部
６３        タイマー信号出力部
２００      信号入力部
３１０      制御部
３２０      駆動回路部
３３０      スイッチ部
３５０      電源部
３６０      状態出力部
３７０      学習設定部
１３、１３０、３８０  モード設定部
３９０      データ部
４００      バックアップデータ部
４１０      負荷電流感知部
１４、１４０、４２０  ジャック連結部
４４０      電源入力端
４５０      電源出力端
４６０      切替スイッチ部
４７０      節電回路部
【図１】
2011515797.tif 000003
【図２（ａ）】
2011515797.tif 000004
【図２（ｂ）】
2011515797.tif 000005
【図３（ａ）】
2011515797.tif 000006
【図３（ｂ）】
2011515797.tif 000007
【図４】
2011515797.tif 000008
【図５（ａ）】
2011515797.tif 000009
【図５（ｂ）】
2011515797.tif 000010
【図５（ｃ）】
2011515797.tif 000011
【図６】
2011515797.tif 000012
【図７】
2011515797.tif 000013
【図８】
2011515797.tif 000014
【図９】
2011515797.tif 000015
【図１０】
2011515797.tif 000016
【図１１】
2011515797.tif 000017
【図１２（ａ）】
2011515797.tif 000018
【図１２（ｂ）】
2011515797.tif 000019
【図１３】
2011515797.tif 000020
【図１４】
2011515797.tif 000021
【図１５】
2011515797.tif 000022
【図１６】
2011515797.tif 000023
【図１７】
2011515797.tif 000024
【図１８】
2011515797.tif 000025
【図１９（ａ）】
2011515797.tif 000026
【図１９（ｂ）】
2011515797.tif 000027
【国際調査報告】
2011515797.tif 000028
2011515797.tif 000029
2011515797.tif 000030
2011515797.tif 000031